(57)【要約】      （修正有）【課題】倒れにくく、安定して保管でき、使用者の利便性を向上させることができる塗布容器の提供。【解決手段】上部に口部２３ａを有する容器本体２と、前記口部に装着された塗布部材３と、前記口部に装着されるキャップと、を備え、前記容器本体に収容された塗布液を前記塗布部材に含浸させて被塗布面に接触させることにより塗布液を塗布する塗布容器であって、前記容器本体は、底部２１と、前記底部と連続し上方に起立する胴部２２と、前記胴部と連続し斜め上方に起立する前記口部を有する首部２３と、を備えており、前記胴部は、底部と連続し上方に起立する第１胴部２２ａと、前記第１胴部と連続し縮径するように上方へ起立する第２胴部２２ｂと、前記第２胴部から連続し上方へ起立する第３胴部２２ｃと、を備え、前記容器本体の前記第１胴部及び前記第３胴部は、長手方向がそれぞれ互いに略直交する水平方向断面形状を有していることを特徴とする塗布容器。【選択図】図６
2014221655.tif 000002
【特許請求の範囲】
【請求項１】
上部に口部を有する容器本体と、
前記口部に装着された塗布部材と、
前記口部に装着されるキャップと、を備え、
前記容器本体に収容された塗布液を前記塗布部材に含浸させて被塗布面に接触させることにより塗布液を塗布する塗布容器であって、
前記容器本体は、底部と、
前記底部と連続し上方に起立する胴部と、
前記胴部と連続し斜め上方に起立する前記口部を有する首部と、を備えており、
前記胴部は、底部と連続し上方に起立する第１胴部と、
前記第１胴部と連続し縮径するように上方へ起立する第２胴部と、
前記第２胴部から連続し上方へ起立する第３胴部と、を備え、
前記容器本体の前記第１胴部及び前記第３胴部は、長手方向がそれぞれ互いに略直交する水平方向断面形状を有していることを特徴とする塗布容器。
【請求項２】
前記第３胴部の水平方向断面における長手方向と、前記第３胴部から前記口部に向けて延伸する前記首部の延伸方向とは、上方からの投影面において、略直交することを特徴とする請求項１に記載の塗布容器。
【請求項３】
前記第２胴部及び前記第３胴部は、前記口部の下方に空間部を形成するように構成される請求項１又は２に記載の塗布容器。
【請求項４】
前記容器本体の内面には、前記底部から前記口部に向けて伸びる線条が形成されている請求項１から３のいずれかに記載の塗布容器。
【請求項５】
前記第３胴部における水平方向断面の面積の最小値は、前記第１胴部における水平方向断面の面積の最大値の４０％以上７０％以下の範囲となるように形成されている請求項１から４のいずれかに記載の塗布容器。
【発明の詳細な説明】
【技術分野】
【０００１】
本発明は、塗布容器、特に、収容された塗布液を被塗布面に塗布する塗布容器に関する。
【背景技術】
【０００２】
従来から、肩こり、腰痛、関節痛、打撲などの症状を和らげるため、或いは、虫さされや痒み止め等の目的で、特許文献１に開示されているような鎮痛消炎液等の塗布液を収納した塗布容器が知られている。
【０００３】
このような塗布容器としては、図９に示すように、容器１００の首部１０１が斜め上方に傾斜した形状を有し、当該首部１０１における口部１０２にラバースポンジ等の塗布部材１０３が設けられているものが知られている。塗布液を塗布する方法としては、容器１００の内部に収容される塗布液を塗布部材１０３に含浸させ、その後、塗布部材１０３を皮膚に直接押し当てることにより、塗布部材１０３を介して塗布液を皮膚表面に染み出させることにより行われる。
【先行技術文献】
【特許文献】
【０００４】
【特許文献１】特開２００７−１５２１３８
【発明の概要】
【発明が解決しようとする課題】
【０００５】
上述のような塗布容器は、塗布部材が設けられている容器首部が、斜め上方に傾斜するように構成されているため、肩や背中における患部に対して塗布液を塗りやすいという優れた特質を有するものである。しかしながら、容器首部が斜め上方に傾斜するように構成されていることに起因して、塗布容器全体の重心位置が容器首部の口部側に片寄っており、載置して保管する際に倒れるおそれがあった。特に、塗布液の残量が少なくなった場合、塗布液を収容した塗布容器全体の重心位置が、塗布液の残量が多い場合の重心位置よりも首部先端側に移ってしまい倒れやすいという問題があった。
【０００６】
本発明は、かかる問題を解決すべくなされたものであって、倒れにくく、安定して保管することができ、塗布容器の使用者の利便性を向上させることができる塗布容器を提供することを目的とする。
【課題を解決するための手段】
【０００７】
本発明の上記目的は、上部に口部を有する容器本体と、前記口部に装着された塗布部材と、前記口部に装着されるキャップと、を備え、前記容器本体に収容された塗布液を前記塗布部材に含浸させて被塗布面に接触させることにより塗布液を塗布する塗布容器であって、前記容器本体は、底部と、前記底部と連続し上方に起立する胴部と、前記胴部と連続し斜め上方に起立する前記口部を有する首部と、を備えており、前記胴部は、底部と連続し上方に起立する第１胴部と、前記第１胴部と連続し縮径するように上方へ起立する第２胴部と、前記第２胴部から連続し上方へ起立する第３胴部と、を備え、前記容器本体の前記第１胴部及び前記第３胴部は、長手方向がそれぞれ互いに略直交する水平方向断面形状を有していることを特徴とする塗布容器より達成される。
【０００８】
この塗布容器において、前記第３胴部の水平方向断面における長手方向と、前記第３胴部から前記口部に向けて延伸する前記首部の延伸方向とは、上方からの投影面において、略直交することが好ましい。
【０００９】
また、前記第２胴部及び前記第３胴部は、前記口部の下方に空間部を形成するように構成されることが好ましい。
【００１０】
また、前記容器本体の内面には、前記底部から前記口部に向けて伸びる線条が形成されていることが好ましい。
【００１１】
また、前記第３胴部における水平方向断面の面積の最小値は、前記第１胴部における水平方向断面の面積の最大値の４０％以上７０％以下の範囲となるように形成されていることが好ましい。
【発明の効果】
【００１２】
本発明によれば、倒れにくく、安定して保管することができ、塗布容器の使用者の利便性を向上させることができる塗布容器を提供することができる。
【図面の簡単な説明】
【００１３】
【図１】本発明の一実施形態に係る塗布容器の側面図である。
【図２】本発明の一実施形態に係る塗布容器の正面図である。
【図３】本発明の一実施形態に係る塗布容器の背面図である。
【図４】本発明の一実施形態に係る塗布容器の平面図である。
【図５】本発明の一実施形態に係る塗布容器の底面図である。
【図６】塗布容器が備えるキャップを取り外した状態の側面図である
【図７】本発明に係る塗布容器の口部に螺着されるキャップの上方からの投影面と、容器本体の上方からの投影面との関係を示す説明図である
【図８】（ａ）は図１におけるＡ−Ａ断面図であり、（ｂ）は図１におけるＢ−Ｂ断面図である。
【図９】従来の塗布容器を示す斜視図である。
【発明を実施するための形態】
【００１４】
以下、本発明に係る塗布容器の実施形態について添付図面を参照して説明する。図１は、本発明の一実施形態に係る塗布容器１の側面図であり、図２は、その正面図、図３は、背面図である。また、図４は、塗布容器１の平面図であり、図５は、塗布容器１の底面図である。また、図６は、塗布容器１が備えるキャップ４を取り外した状態の側面図である。なお、以下では、説明の便宜上図１の上下方向を上下方向又は軸方向、図８の左右方向を前後方向と称する。また、図８（ａ）及び（ｂ）の中央（点Ｚ）から外部に向かう方向を径方向と称する。そして、これらを基準として他の図面でも説明する。
【００１５】
本発明の一実施形態に係る塗布容器１は、図１から図６に示すように、上部に口部２３ａを有する容器本体２と、口部２３ａに装着された塗布部材３と、口部２３ａに装着されるキャップ４とを備えている。塗布容器１は、容器本体２に収容された塗布液を塗布部材３に含浸させて皮膚等の被塗布面に接触させることにより塗布液を塗布する塗布容器である。
【００１６】
容器本体２は、図６に示すように、底部２１と、底部２１と連続し上方に起立する胴部２２と、胴部２２と連続し斜め上方に起立する口部２３ａを有する首部２３と、を備えている。この容器本体２を形成する材料としては、ポリエチレンテレフタレート（ＰＥＴ）、ポリプロピレン（ＰＰ）、ポリエチレン（高密度ポリエチレン：ＨＤＰＥ、低密度ポリエチレン：ＬＤＰＥ）、ポリスチレン等の合成樹脂材料を使用することができる。また、これらの材料の１種または２種類以上を組み合わせて容器本体２を形成してもよい。また、容器本体２は、手指で把持して圧力を加えた場合に、わずかに押圧変形されるように構成することが好ましい。
【００１７】
胴部２２は、底部２１と連続し上方に起立する第１胴部２２ａと、第１胴部２２ａと連続し縮径するように上方に起立する第２胴部２２ｂと、第２胴部２２ｂと連続し上方に起立する第３胴部２２ｃと、を備えている。第２胴部２２ｂおよび第３胴部２２ｃは、図６に示すように、首部２３の下方に空間部Ｓを形成するために、第１胴部２２ａから首部２３との接続部に向けて軸方向に沿って径方向内方へ凸に湾曲する湾曲部２５を有するように構成されている。
【００１８】
首部２３は、第３胴部２２ｃと連続し斜め上方に起立する口部２３ａを備えており、口部２３ａの形成方向に対して略垂直な開口面を有するように開口が形成されており、当該開口内に、塗布部材３が装着されている。そして、塗布部材３の表面は、口部２３ａの開口に対して隆起するように構成されている。また、口部２３ａの外周部には螺子山が形成されており、キャップ４の内面に形成される螺子溝と螺着可能に構成されている。なお、キャップ４を形成する材料としては、容器本体２を形成する材料と同一のものを使用することができる。
【００１９】
容器本体２の底部２１、並びに第１胴部２２ａ及び第２胴部２２ｂの断面形状は、図８（ａ）に示すように、前後方向を長手方向とする略卵型をしており、後側の曲率半径は前側の曲率半径より小さくなるように形成されている。また、第３胴部２２ｃの断面は、図８（ｂ）に示すように、前後方向に直交する方向を長手方向とする楕円型をしている。したがって、第１胴部２２ａと第３胴部２２ｃとは、長手方向がそれぞれ互いに直交する水平方向断面形状を有するように構成されている。なお、図８（ａ）は、図１におけるＡ−Ａ断面図であり、容器本体２の第１胴部２２ａの水平方向断面図に相当し、図８（ｂ）は、図１におけるＢ−Ｂ断面図であり、容器本体２の第３胴部２２ｃの水平方向断面図に相当する。
【００２０】
また、第２胴部２２ｂは、第１胴部２２ａと連続し上方へ緩やかに縮径し第２胴部２２ｃと連続するように形成されている。また、第２胴部２２ｂは、その縮径が軸方向に沿って径方向内方に凸になる湾曲部２５を有しており、湾曲部２５の曲率半径Ｒは１００ｍｍ〜２００ｍｍ、好ましくは１２０ｍｍ〜１８０ｍｍの範囲となるように形成されていることが望ましい。
【００２１】
また、第３胴部２２ｃの水平方向断面における長手方向と、第３胴部２２ｃから口部２３ａに向けて延伸する首部２３の延伸方向とは、上方からの投影面において、略直交するように構成されている。
【００２２】
塗布部材３は、上述のように、首部２３における口部２３ａの開口に装着され、当該開口を閉塞するようにして配置される部材であり、塗布液の吸放出性に優れ、強度及び肌触りが良好である軟質多孔質体を含む材料で形成される。軟質多孔質体の材料としては、具体的には、天然ゴム、発泡ウレタン、発泡スチレン等を使用することができる。多孔質体の孔径は、例えば、５０〜２５０μｍの範囲が好ましい。孔径がこの範囲にあると、塗布液の保持性が良好であり、また、塗布液の浸透性や放出性も良好であるため好ましい。また、塗布部材３における軟質多孔質体の幾何学的構造（粒子構造体、スポンジ構造体、バルーン構造体、ハニカム構造体等）、細孔の分散状態又は形態（中空構造体、フィブリル構造体等）、細孔分布、厚さ等は特に制限されず、塗布液が容器外部に排出できる構造であればよい。
【００２３】
容器本体２に収容される塗布液としては特に限定されないが、肩こり、腰痛、関節痛、打撲などの症状を和らげるため、或いは、虫さされや痒み止め等の目的で、従来から用いられている鎮痛消炎液等の塗布液を使用できる。
【００２４】
ここで、本発明に係る塗布容器１は、口部２３ａに螺着されるキャップ４の上方からの投影面が、図７に示すように、容器本体２の上方からの投影面内に配置されるように構成することができる。なお、図７において、実線で示している部分は、容器本体２の投影面の輪郭であり、鎖線で示している部分は、キャップ４の投影面の輪郭である。
【００２５】
このような構成の塗布容器１を用いて皮膚等の被塗布面に塗布液を塗布するには、容器本体２の胴部２２を手指で把持し、キャップ４を外して、首部２３を下方に傾けて塗布部材３に塗布液を含浸させつつ塗布部材３の表面を皮膚等の被塗布面に押し当てることにより行う。或いは、塗布部材３の表面を皮膚等の被塗布面に押し当てる前に、一旦、首部２３を下方に傾けて、容器本体２に収容される塗布液を塗布部材３に含浸させたのち、塗布部材３の表面を皮膚等の被塗布面に押し当てることにより行う。
【００２６】
容器本体２の第１胴部２２ａ及び第３胴部２２ｃは、長手方向がそれぞれ互いに略直交する水平方向断面形状を有するように構成されている。このような構成により、上述のように、口部２３ａに螺着されるキャップ４の上方からの投影面が、容器本体２の上方からの投影面内に配置されるように構成することができ、塗布容器１を載置した場合の安定性が極めて高く、より倒れにくいものとなる。特に、塗布液の残量が少なくなり、塗布液を収容した塗布容器全体の重心位置が、塗布液の残量が多い場合の重心位置よりも首部先端側に移ってしまったとしても、この重心位置の水平方向の変位量を小さくすることができる。この結果、わずかな振動や、手や物が軽く当たった程度で倒れてしまうような事態が発生することを効果的に抑制でき、塗布容器１の使用者の利便性を向上させることができる。
【００２７】
また、上記実施形態においては、第３胴部２２ｃの水平方向断面における長手方向と、第３胴部２２ｃから口部２３ａに向けて延伸する首部２３の延伸方向とは、上方からの投影面において、略直交するように構成されている。このような構成により、例えば、衣服の襟くび辺りから容器本体２の首部２３及び胴部２２を挿入して肩や背中に塗布液を塗布するような場合、第３胴部２２ｃの水平方向断面における長手方向と、肩や背中の皮膚表面（被塗布面）とが略平行となる。つまり、第３胴部２２ｃの水平方向断面における短手方向が、肩や背中の皮膚表面に対して略垂直な方向となるため、肩や背中の皮膚表面と衣服との隙間が狭い場合であっても、塗布容器１を操作して被塗布面にスムーズに塗布液を塗布することが可能となり、塗布容器１の使用者の利便性を向上させることができる。
【００２８】
また、上記実施形態においては、第１胴部２２ａの水平断面形状が、前後方向を長手方向とする略卵型をしており、後側（開口面と反対側）の曲率半径は前側（開口面）の曲率半径より小さくなるように形成されている。このように形成することで、使用者が肩や背中に塗布液を塗布するような場合に、人差し指及び中指が第１胴部２２ａの曲率半径の小さな円弧上を支持し、親指が第１胴部２２ａの曲率半径の大きな円弧上を支持するので、塗布容器１を安定して保持することが可能となり、塗布容器１の使用者の利便性を向上させることができる。
【００２９】
また、上記実施形態においては、第２胴部２２ｂおよび第３胴部２２ｃは、図６に示すように、首部２３の下方に空間部Ｓを形成している。このようにすることで、使用者が肩や背中に塗布液を塗布する場合に空間部Ｓに肩の上部が入りこむことができるので、塗布容器１を安定した状態で肩や背中部分に使用することが可能となり、塗布容器１の使用者の利便性を向上させることができる。特に、第２胴部２２ｂが第１胴部２２ａと連続し上方へ緩やかに縮径し第２胴部２２ｃと連続するように形成されているので、空間部Ｓを上下方向に長く形成することができるので、より塗布容器１を安定した状態で肩や背中部分に使用することが可能となり、塗布容器１の使用者の利便性を向上させることができる。また、第２胴部２２ｂは、その縮径が軸方向に沿って径方向内方に凸になる湾曲部２５を有しているので、塗布容器１を肩や背中の皮膚表面と衣服との隙間が狭い場合であっても、塗布容器１を肩の上部により入りこませることが可能となり、さらに塗布容器１を安定した状態で肩や背中部分に使用することが可能となり、塗布容器１の使用者の利便性を向上させることができる。
【００３０】
また、第１胴部２２ａの上下方向の長さＬ１は、第２胴部２２ｂの上下方向の長さＬ２に第３胴部２２ｃの上下方向の長さＬ３を加えた長さより短いことが望ましい。すなわちＬ１＜Ｌ２＋Ｌ３とすることが望ましく、Ｌ１＜（Ｌ２＋Ｌ３）／２がより好ましい。このように構成することで、空間部Ｓを上下方向により長く形成することができので、より塗布容器１を安定した状態で且つ肩や背中部分の広範囲にわたり使用することが可能となり、塗布容器１の使用者の利便性を向上させることができる。
【００３１】
また、本発明に係る塗布容器１においては、第３胴部２２ｃにおける水平方向断面の面積の最小値が、第１胴部２２ａにおける水平方向断面の面積の最大値の４０％以上７０％以下の範囲となるように形成することが好ましく、５０％以上６０％以下の範囲がより好ましい。このような範囲に設定することにより、例えば、容器本体２の第１胴部２２ａを手指で把持して当該第１胴部２２ａに圧力を加えて第１胴部２２ａをわずかに変形させた場合に、第３胴部２２ｃにおいて、第１胴部２２ａにて付与した圧力以上の内圧を発生させることができる。したがって、塗布液の残量が少なくなった場合であっても、容器本体２の第１胴部２２ａを押圧変形させて第３胴部２２ｃ付近での内圧を高めることにより、塗布液を塗布部材３側に供給して効率よく塗布部材３に含浸させることが可能となり、塗布容器１の使用者の利便性を向上させることができる。
【００３２】
このような塗布容器１はインジェクションブロー成型など公知のブロー成型で製造することが出来る。塗布容器１の内容積は、例えば、内容物の量として、３０〜１５０ｍＬが好ましい。塗布容器１の高さは１０〜２０ｃｍが好ましい。
【００３３】
以上、本発明に係る塗布容器１について説明したが、具体的構成は、上記実施形態に限定されない。例えば、容器本体２の内面に、胴部２２から口部２３ａに向けて伸びる線条を形成するように構成してもよい。線条の形態は種々採用することができ、例えば、容器本体２の内面に形成した溝により構成してもよく、或いは、容器本体２の内面に対して凸となる突起体により構成してもよい。線条の本数は特に限定されず、単一であっても、複数であってもよい。このような線条を容器本体２の内面に形成することにより、塗布液の残量が少なくなった場合であっても、塗布液を迅速に塗布部材３側へと導くことが可能となる。具体的に説明すると、塗布液の残量が少なくなった場合、塗布液を塗布部材３に含浸させようとして首部２３を下方に傾けたとしても、塗布液が容器本体２の内面に広がって流動しまい、塗布部材３に塗布液を含浸させるために長時間を要することとなるが、線条を容器本体２の内面に形成した場合、塗布液を線条に伝わらせて流下させることができ、塗布液が容器本体２の内面に広がって流動することを防止して、塗布液を迅速に塗布部材３側へと導くことが可能となり、塗布容器１の使用者の利便性を向上させることができる。
【００３４】
また、上述のような線条の形成位置は、特に限定されるものではないが、口部２３ａに螺着されるキャップ４の上方からの投影面が重なる容器本体２の内面に形成することが好ましい。このような線条の形成位置は、首部２３を下方に傾けつつ塗布部材３の表面を皮膚等の被塗布面に押し当てる動作を行った場合に、塗布液が自然と線条を伝わる位置であるため、容器本体２に収納される塗布液の残量が少なくなった場合に、塗布液を塗布部材３側に導く動作と、塗布液を被塗布面に塗布する動作を一連の動作で行うことが可能となり、塗布容器１の使用者の利便性を向上させることができる。
【００３５】
また、第１胴部２２ａの水平断面形状は、前後方向を長手方向とする楕円型であってもよい。
【符号の説明】
【００３６】
１  塗布容器
２  容器本体
２１  底部
２２  胴部
２２ａ  第１胴部
２２ｂ  第２胴部
２２ｃ  第３胴部
２３  首部
２３ａ  口部
３  塗布部材
４  キャップ
【図１】
2014221655.tif 000003
【図２】
2014221655.tif 000004
【図３】
2014221655.tif 000005
【図４】
2014221655.tif 000006
【図５】
2014221655.tif 000007
【図６】
2014221655.tif 000008
【図７】
2014221655.tif 000009
【図８】
2014221655.tif 000010
【図９】
2014221655.tif 000011